(57)【特許請求の範囲】
【請求項１】
ジェットポンプ作用により供給される洗浄水によって便器を洗浄して汚物を排出する水洗大便器装置であって、
汚物を受けるボウル部と、このボウル部に洗浄水を導くための導水路と、を備えた便器本体と、
この便器本体のボウル部よりも後方側の所定の設置位置に上方側から組み付けられて、給水源から供給される洗浄水の一部が貯留されると共に上記便器本体の導水路に洗浄水を供給するタンクと、
上記便器本体の導水路に設けられて上記タンクに接続される便器本体側接続部であって、一端が上記導水路に一体又は別体に設けられると共に他端が上方に差し向けられる便器本体側接続管路を形成する上記便器本体側接続部と、
上記タンクの前方側に設けられて上記便器本体側接続部に接続されるタンク側接続部であって、上記便器本体側接続管路に連通可能な一端から上方に延びるタンク側接続管路を形成する上記タンク側接続部と、
上記便器本体側接続部と上記タンク側接続部との間に水密に接続可能に設けられたシール部材と、を有し、
上記タンクは、その内部に少なくとも一部が水没した状態で配置されるジェットポンプユニットであって、上記給水源から供給される洗浄水を噴射するジェットノズルと、一端に吸引口が形成されると共に他端に上記便器本体の導水路に向けて洗浄水を流出させる流出口が形成されるスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給する上記ジェットポンプユニットと、
上記タンクの内部に設けられて上記給水源から供給される洗浄水を上記ジェットノズルに給止水する給水弁と、
上記タンクの前面から後方側に向かって上記タンクの内部に突出すると共に上記タンクの底面から上方に延びるように形成された段部と、を備えており、
この段部は、上記スロート管の流出口を形成するスロート管側接続部が接続されると共に上記タンク側接続管路と連通する接続口が形成された上端部を備えており、この段部の上端部は、上記タンクが上記所定の設置位置に上方側から組み付けられる際に、作業者が上記便器本体側接続部と上記タンク側接続部とを水密に接続する水密接続操作が可能となるように、上記タンク内の満水水位よりも上方に位置しており、
上記便器本体側接続部及び上記タンク側接続部は、上記タンクを上記便器本体に対して水密に接続する際に、その周囲が作業者の直接的なアクセスが不能に覆われており、
上記段部は、上記水密接続操作が行われることにより上記タンク側接続部について上記シール部材を介して上記便器本体側接続部に水密に接続可能にするものであることを特徴とする水洗大便器装置。
【請求項２】
上記段部は、上記タンク内の最低水位よりも上方に位置するように上記タンク内に形成された唯一の段部である請求項１記載の水洗大便器装置。
【請求項３】
上記段部は、上記タンク内の左右方向の中央部に形成され、上記給水弁及び上記スロート管は、上記段部の上端部の一部について上記水密接続操作が可能となるように上記タンク内の左右方向の一方側の領域に片寄って配置されている請求項１又は２に記載の水洗大便器装置。
【請求項４】
上記段部の上端部は、その左右の幅方向の領域に形成されて上記水密接続操作が可能な操作領域面と、上記スロート管側接続部とこれに近接する上記タンクの前壁部との間に形成されて上記操作領域面の面積よりも小さい前側領域面と、を備えている請求項１乃至３の何れか１項に記載の水洗大便器装置。
【請求項５】
上記段部の上端部は、上記水密接続操作が可能な操作領域面を備えており、
上記シール部材、上記タンク側接続部、及び上記便器本体側接続部のそれぞれは、上記タンクが上記所定の設置位置に上方側から組み付けられた状態で上記段部の鉛直方向下方に互いに重なり合うように配置されており、
上記水密接続操作は、上記タンクが上記所定の設置位置に上方側から組み付けられる際に作業者により上記操作領域面が下方に押し込まれる押し込み操作であり、上記段部は、この押し込み操作により上記タンク側接続部が上記シール部材を介して上記便器本体側接続部に押し込まれて上記タンクと上記便器本体とを水密に接続可能にするものである請求項１乃至４の何れか１項に記載の水洗大便器装置。
【請求項６】
さらに、上記タンクが上記所定の設置位置に上方側から組み付けられた状態で上記段部の上端部の操作領域面が下方に押し込まれた際に、上記便器本体側接続部を支持可能に設けられて上記タンク側接続部から上記便器本体側接続部に作用する押し込み力を分散可能にする力分散部を有する請求項５記載の水洗大便器装置。
【発明の詳細な説明】
【技術分野】
【０００１】
本発明は、水洗大便器装置に係り、特に、ジェットポンプ作用により供給される洗浄水によって便器を洗浄して汚物を排出する水洗大便器装置に関する。
【背景技術】
【０００２】
従来から、ジェットポンプ作用により供給される洗浄水によって便器を洗浄して汚物を排出する水洗大便器装置として、例えば、特許文献１に記載されているように、給水源から供給される洗浄水の一部が貯留されると共に便器本体に洗浄水を供給するタンクが便器本体の上面に設置されているものが知られている。
このような従来の水洗大便器装置においては、ジェットポンプ作用を誘発させるジェットポンプユニットとその他の複数の関連部品がタンク内に内装されているため、タンク単体でジェットポンプ性能を確保するために、タンクと便器本体との接続がタンクの外部で行われることが望ましい。 
【先行技術文献】
【特許文献】
【０００３】
【特許文献１】特開２０１４−１９００６５号公報
【発明の概要】
【発明が解決しようとする課題】
【０００４】
しかしながら、近年、水洗大便器装置のデザインの多様化と節水化により、タンクが便器本体の後方側の比較的低い位置に配置されることにより、タンクの上端の高さ位置を低い位置に設定し、水洗大便器装置全体の高さを抑えた、いわゆる、「ローシルエットタイプ」のタンクが採用されているが、このようなローシルエットタイプのタンクについて、前後方向（奥行方向）の幅や左右方向（横方向）の幅もコンパクトなタンクにしようとすると、デッドスペースを少なくするために、タンクと便器本体との接続部の周囲を取り囲むような設計も避けられない。
また、このようにタンクと便器本体との接続部の周囲を取り囲むようなタンクと便器本体の設計では、作業者がタンクを便器本体に組み付ける際には、タンクと便器本体との接続部に手が直接届かなくなり、作業者の直接的なアクセスよる施工が困難となるため、何らかの手段や方法でタンクと便器本体とを水密に接続する操作を間接的に行わなければならならず、水密性の確保も難しくなるという問題がある。
さらに、タンクと便器本体との接続部にタンクの内部からアクセスする方法も考えられるが、タンク内は、ジェットポンプユニット以外にも多数の関連部品によってスペースが占有されているため、タンクを小型化する程、タンク内部の空間スペースも少なく、作業者の直接的なアクセスが困難となるため、タンク内の接続部の付近で水密性を確保するための接続操作を直接的に行うのは困難であるという問題がある。
【０００５】
そこで、本発明は、上述した従来技術の問題を解決するためになされたものであり、タンクを便器本体に対して水密に接続する際に、便器本体側接続部及びタンク側接続部のそれぞれに対して、その周囲が作業者の直接的なアクセスが不能に覆われている状況であっても、タンクを便器本体に簡単に水密に接続することができる水洗大便器装置を提供することを目的としている。
【課題を解決するための手段】
【０００６】
上記の目的を達成するために、本発明は、ジェットポンプ作用により供給される洗浄水によって便器を洗浄して汚物を排出する水洗大便器装置であって、汚物を受けるボウル部と、このボウル部に洗浄水を導くための導水路と、を備えた便器本体と、この便器本体のボウル部よりも後方側の所定の設置位置に上方側から組み付けられて、給水源から供給される洗浄水の一部が貯留されると共に上記便器本体の導水路に洗浄水を供給するタンクと、上記便器本体の導水路に設けられて上記タンクに接続される便器本体側接続部であって、一端が上記導水路に一体又は別体に設けられると共に他端が上方に差し向けられる便器本体側接続管路を形成する上記便器本体側接続部と、上記タンクの前方側に設けられて上記便器本体側接続部に接続されるタンク側接続部であって、上記便器本体側接続管路に連通可能な一端から上方に延びるタンク側接続管路を形成する上記タンク側接続部と、上記便器本体側接続部と上記タンク側接続部との間に水密に接続可能に設けられたシール部材と、を有し、上記タンクは、その内部に少なくとも一部が水没した状態で配置されるジェットポンプユニットであって、上記給水源から供給される洗浄水を噴射するジェットノズルと、一端に吸引口が形成されると共に他端に上記便器本体の導水路に向けて洗浄水を流出させる流出口が形成されるスロート管と、を備え、上記ジェットノズルが上記スロート管の吸引口から内部に向けて洗浄水をジェット噴射することにより、上記スロート管内を流れる洗浄水の流量を上記ジェットノズルから噴射された洗浄水の流量よりも増大させるジェットポンプ作用を誘発させて、増大した流量の洗浄水を上記スロート管から上記便器本体の導水路に向けて供給する上記ジェットポンプユニットと、上記タンクの内部に設けられて上記給水源から供給される洗浄水を上記ジェットノズルに給止水する給水弁と、上記タンクの前面から後方側に向かって上記タンクの内部に突出すると共に上記タンクの底面から上方に延びるように形成された段部と、を備えており、この段部は、上記スロート管の流出口を形成するスロート管側接続部が接続されると共に上記タンク側接続管路と連通する接続口が形成された上端部を備えており、この段部の上端部は、上記タンクが上記所定の設置位置に上方側から組み付けられる際に、作業者が上記便器本体側接続部と上記タンク側接続部とを水密に接続する水密接続操作が可能となるように、上記タンク内の満水水位よりも上方に位置しており、上記便器本体側接続部及び上記タンク側接続部は、上記タンクを上記便器本体に対して水密に接続する際に、その周囲が作業者の直接的なアクセスが不能に覆われており、上記段部は、上記水密接続操作が行われることにより上記タンク側接続部について上記シール部材を介して上記便器本体側接続部に水密に接続可能にするものであることを特徴としている。
このように構成された本発明においては、作業者によりタンクが便器本体のボウル部よりも後方側の所定の設置位置に上方側から組み付けられて、タンクを便器本体に対して水密に接続する際に、便器本体側接続部及びタンク側接続部のそれぞれに対して、その周囲が作業者の直接的なアクセスが不能に覆われている状況であっても、タンク内の段部の上端部がタンク内の満水水位よりも上方に位置していることにより、作業者はタンクの上方からタンク内の段部の上端部に簡単に直接的にアクセスすることができる。
したがって、タンク内の段部の上端部に直接的にアクセスした作業者は、便器本体側接続部とタンク側接続部とを水密に接続する水密接続操作をタンク内の段部の上端部について単純に行うだけで、タンク側接続部についてシール部材を介して便器本体側接続部に確実に水密に接続することができ、タンクを便器本体に簡単に水密に接続することができる。
【０００７】
本発明において、好ましくは、上記段部は、上記タンク内の最低水位よりも上方に位置するように上記タンク内に形成された唯一の段部である。
このように構成された本発明においては、タンク内の段部が、タンク内の最低水位よりも上方に位置するようにタンク内に形成された唯一の段部であることにより、タンク内における段部の占有スペースを抑制することができるため、タンク全体を小型化することができる。
【０００８】
本発明において、好ましくは、上記段部は、上記タンク内の左右方向の中央部に形成され、上記給水弁及び上記スロート管は、上記段部の上端部の一部について上記水密接続操作が可能となるように上記タンク内の左右方向の一方側の領域に片寄って配置されている。
このように構成された本発明においては、タンク内の段部がタンク内の左右方向の中央部に形成され、タンク内の段部の上端部の一部について水密接続操作が可能となるように給水弁及びスロート管がタンク内の左右方向の一方側の領域に片寄って配置されているため、作業者によりタンクが便器本体の導水路の後方側の所定の設置位置に上方側から組み付けられて、タンク側接続部が便器本体側接続部に接続される際に、タンク内の段部の上端部に直接的にアクセスした作業者がタンク内の段部の上端部を水密接続操作するときの操作スペースを確保することができる。
したがって、作業者は、タンク内の段部の上端部の一部について確実に水密接続操作を行うことができ、タンク側接続部についてシール部材を介して便器本体側接続部に確実に水密に接続して、タンクを便器本体に確実に水密に接続することができる。
【０００９】
本発明において、好ましくは、上記段部の上端部は、その左右の幅方向の領域に形成されて上記水密接続操作が可能な操作領域面と、上記スロート管側接続部とこれに近接する上記タンクの前壁部との間に形成されて上記操作領域面の面積よりも小さい前側領域面と、を備えている。
このように構成された本発明においては、タンク内の段部の上端部がその左右の幅方向の領域に形成されて水密接続操作が可能な操作領域面を備えていると共に、スロート管側接続部とこれに近接するタンクの前壁部との間に形成されて操作領域面の面積よりも小さい前側領域面を備えていることにより、タンク内の段部の上端部の操作領域面について、スロート管側接続部と干渉することなく比較的大きく設定することができるため、段部の上端部の操作領域面における水密接続操作を行い易くすることができる。
また、タンク内の段部の上端部の前側領域面について比較的小さく設定することができ、タンク内のデッドスペースを最小限にすることができるため、タンク全体を小型化することができる。
【００１０】
本発明は、好ましくは、  上記段部の上端部は、上記水密接続操作が可能な操作領域面を備えており、上記シール部材、上記タンク側接続部、及び上記便器本体側接続部のそれぞれは、上記タンクが上記所定の設置位置に上方側から組み付けられた状態で上記段部の鉛直方向下方に互いに重なり合うように配置されており、上記水密接続操作は、上記タンクが上記所定の設置位置に上方側から組み付けられる際に作業者により上記操作領域面が下方に押し込まれる押し込み操作であり、上記段部は、この押し込み操作により上記タンク側接続部が上記シール部材を介して上記便器本体側接続部に押し込まれて上記タンクと上記便器本体とを水密に接続可能にするものである。
このように構成された本発明においては、シール部材、タンク側接続部、及び便器本体側接続部のそれぞれについて、タンクが所定の設置位置に上方側から組み付けられた状態で段部の鉛直方向下方に互いに重なり合うように配置されており、操作領域面が下方に押し込まれることによりタンク側接続部がシール部材を介して便器本体側接続部に押し込まれてタンクと便器本体とを水密に接続可能にするものであるため、タンクが所定の設置位置に上方側から組み付けられる際に作業者によりタンク内の段部の操作領域面について押し込み操作が行われた際には、この段部の鉛直方向下方に互いに重なり合うシール部材、タンク側接続部、及び便器本体側接続部のそれぞれに対して効率よく押し込み力を作用させて、互いに確実に水密に接続させることができる。
したがって、シール部材、タンク側接続部、及び便器本体側接続部のそれぞれの水密接続時の押し込み操作に要する段部の押し込み力を比較的小さな力で済ませることができるため、押し込み操作が直接的に行われる段部自体についても小さくすることもできるため、タンク全体も小型化することができる。
【００１１】
本発明は、好ましくは、さらに、上記タンクが上記所定の設置位置に上方側から組み付けられた状態で上記段部の上端部の操作領域面が下方に押し込まれた際に、上記便器本体側接続部を支持可能に設けられて上記タンク側接続部から上記便器本体側接続部に作用する押し込み力を分散可能にする力分散部を有する。
このように構成された本発明においては、タンクが所定の設置位置に上方側から組み付けられた状態で段部の上端部の操作領域面が下方に押し込まれた際に、便器本体側接続部を支持可能に設けられてタンク側接続部から便器本体側接続部に作用する押し込み力を分散可能にする力分散部をさらに有することにより、タンク側接続部を便器本体側接続部に対して上方から下方に押し込む操作が行われて、タンク側接続部から便器本体側接続部に過度な押し込み力が加わったとしても、この押し込み力を力分散部により分散させることができるため、便器本体側接続部が破損してしまうことを防ぐことができる。
【発明の効果】
【００１２】
本発明の水洗大便器装置によれば、タンクを便器本体に対して水密に接続する際に、便器本体側接続部及びタンク側接続部のそれぞれに対して、その周囲が作業者の直接的なアクセスが不能に覆われている状況であっても、タンクを便器本体に簡単に水密に接続することができる。
【図面の簡単な説明】
【００１３】
【図１】本発明の第１実施形態による水洗大便器装置の概略斜視図である。
【図２】本発明の第１実施形態による水洗大便器装置の分解斜視図である。
【図３】図１のＩＩＩ−ＩＩＩ線に沿って見た中央側面断面図である。
【図４】図１のＩＶ−ＩＶ線に沿って見た正面断面図である。
【図５】本発明の第１実施形態による水洗大便器装置における洗浄水タンク装置の内部構造を示す平面図である。
【図６】本発明の第１実施形態による水洗大便器装置の洗浄水タンク装置の基本構成を示すブロック図である。
【図７】図２のＡ部拡大図である。
【図８】図３のＢ部拡大図である。
【図９】本発明の第１実施形態による水洗大便器装置の背面図である。
【図１０】図９に示す本発明の第１実施形態による水洗大便器装置における洗浄水タンク装置の貯水タンクを便器本体に固定する固定装置を拡大した概略斜視図である。
【図１１】本発明の第１実施形態による水洗大便器装置における洗浄水タンク装置の貯水タンクを便器本体に固定する固定装置の概略図である。
【図１２】本発明の第１実施形態による水洗大便器装置における便器本体と貯水タンクとの接続状態を確認するときの状態を示す斜視図である。
【図１３Ａ】本発明の第１実施形態による水洗大便器装置において洗浄水タンク装置の貯水タンクが便器本体の後方側の所定の設置位置に組み付けられていない施工開始前状態を示す概略断面図である。
【図１３Ｂ】図１３Ａに示す施工開始前状態の後、本発明の第１実施形態による水洗大便器装置の洗浄水タンク装置の貯水タンクが便器本体の後方側の所定の設置位置に組み付けられる前に、便器本体の導水路の流入口にスパッドのみが水密に接続された第１の施工状態を示す概略断面図である。
【図１３Ｃ】図１３Ｂに示す第１の施工状態の後、本発明の第１実施形態による水洗大便器装置の洗浄水タンク装置の貯水タンクが便器本体の後方側の所定の設置位置に組み付けられる前に、便器本体の導水路の流入口に水密に接続されたスパッドに接続管部材が水密に接続された第２の施工状態を示す概略断面図である。
【図１３Ｄ】図１３Ｃに示す第２の施工状態の後、本発明の第１実施形態による水洗大便器装置の洗浄水タンク装置の貯水タンクのタンク側接続部が接続管部材に水密に接続されることにより貯水タンクが便器本体の後方側の所定の設置位置に上方側から組み付けられた第３の施工状態を示す概略断面図である。
【図１４Ａ】図１３Ｃに示す第２の施工状態と図１３Ｄに示す第３の施工状態との間の状態において、本発明の第１実施形態による水洗大便器装置のヒレパッキンの下側ヒレ部及び上側ヒレ部が接続管部材の接続管路に差し込まれる直前の状態を示す概略正面断面図である。
【図１４Ｂ】本発明の第１実施形態による水洗大便器装置のヒレパッキンの下側ヒレ部のみが図１４Ａに示す状態から接続管部材の接続管路内に差し込まれたときの差し込み途中状態を示す概略正面断面図である。
【図１４Ｃ】本発明の第１実施形態による水洗大便器装置のヒレパッキンの下側ヒレ部及び上側ヒレ部の双方が図１４Ｂに示す状態から接続管部材の接続管路内の差し込み完了位置までに差し込まれたときの差し込み完了状態を示す概略正面断面図である。
【図１５】本発明の第１実施形態による水洗大便器装置のヒレパッキンにおける接触後の差し込み距離と接触抵抗との関係を定性的に示す線図と、本発明の第１実施形態による水洗大便器装置のヒレパッキンの変形例における差し込み距離と接触抵抗との関係を定性的に示す線図とを比較した図である。
【図１６】本発明の第２実施形態による水洗大便器装置を示す、図４と同様な正面断面図である。
【図１７】本発明の第３実施形態による水洗大便器装置において、洗浄水タンク装置の貯水タンクが所定の設置位置に組み付けられる前の状態の便器本体を背面側から見た概略斜視図である。
【発明を実施するための形態】
【００１４】
以下、添付図面を参照して、本発明の第１実施形態による水洗大便器装置について説明する。
まず、図１〜図６により、本発明の第１実施形態による水洗大便器装置の基本構造について説明する。
図１は、本発明の第１実施形態による水洗大便器装置の概略斜視図であり、図２は、本発明の第１実施形態による水洗大便器装置の分解斜視図であり、図３は、図１のＩＩＩ−ＩＩＩ線に沿って見た中央側面断面図である。
【００１５】
まず、図１〜図３に示すように、本発明の第１実施形態による水洗大便器装置１は、陶器製の便器本体２と、この便器本体２の後方側の所定の設置位置に設置されて且つ便器本体２に洗浄水を供給する洗浄水タンク装置４を備えている。この水洗大便器装置１は、例えば、６．０リットル以下の洗浄水、好ましくは、３．０リットル〜４．８リットルの洗浄水で洗浄する、いわゆる、節水型の洗い落とし式の水洗大便器である。
つぎに、図３に示すように、便器本体２は、その前方側に設けられて汚物を受けるボウル部６と、このボウル部６の上縁に形成されたリム部８とを備えている。
また、便器本体２のボウル部６の底部には、排水トラップ管路１０の入口１０ａが開口し、この排水トラップ管路１０は、その入口１０ａから斜め下方且つ後方側に延びた後、斜め上方且つ後方側の頂部まで延びて、その後、下方に延びて、床面に設置された排水ソケット（図示せず）に接続されている。
また、図３に示すように、便器本体２のボウル部６の後方側から側方のリム部８内には、洗浄水タンク装置４から供給された洗浄水をボウル部６に導くための導水路１４が形成されていると共に、この導水路１４内の洗浄水が吐出される吐水口１６がリム部６の一部に形成されている。
なお、本実施形態による水洗大便器装置１においては、高さ方向の落差により汚物を排出する洗い落とし式便器の形態について説明するが、サイホン作用を利用してボウル部６内の汚物を吸い込んで排水トラップ管路１０から一気に外部に排出する、いわゆる、サイホン式便器であってもよいし、これら以外の形態の便器でも適用可能である。
また、本実施形態による水洗大便器装置１においては、排水トラップ管路１０から排水された排水を床下の排水管路（図示せず）に排出させるが排水ソケット（図示せず）を採用した形態であってもよいし、排水トラップ管路１０から排水された排水を水洗大便器装置１の後方の壁裏側の排水管路（図示せず）に排出させる排水ソケット（図示せず）を採用した形態であってもよい。
【００１６】
つぎに、図１〜図８を参照して、洗浄水タンク装置４について詳細に説明する。
図４は、図１のＩＶ−ＩＶ線に沿って見た正面断面図であり、図５は、本発明の第１実施形態による水洗大便器装置における洗浄水タンク装置の内部構造を示す平面図であり、図６は、本発明の第１実施形態による水洗大便器装置の洗浄水タンク装置の基本構成を示すブロック図である。
なお、図４及び図５に示す洗浄水タンク装置４の左右方向については、便器本体２の前方側から見て左右方向の左側を「左側」、便器本体２の前方側から見て左右方向の右側を「右側」とそれぞれ定義する。
【００１７】
図２〜図６に示すように、洗浄水タンク装置４は、その上流側が水道等の給水源（図示せず）に接続された給水管１８と、便器本体２のボウル部６よりも後方側の所定の設置スペースＳ１に上方側から組み付けられて、給水源（図示せず）から給水管１８を経て供給された洗浄水の一部が貯留されると共に便器本体２の導水路１４に洗浄水を供給するタンクである貯水タンク２０とを備えている。
また、この貯水タンク２０は、図５に示すように、平面視において左右方向に長い扁平形状に形成されており、図３に示すように、便器本体２の後方側の比較的低い位置に配置されて、貯水タンク２０の上端高さ位置が低い、いわゆる、ローシルエットタイプの貯水タンクである。
さらに、本実施形態の水洗大便器装置１において、便器本体２は、その導水路１４の後方側の所定の設置スペースＳ１（図２参照）内に貯水タンク２０を組み付ける際には、この設置スペースＳ１の開放された上方側から貯水タンク２０を挿入して組み付けなければならないように構成されている。
なお、本実施形態の水洗大便器装置１においては、基本的には、現場における水洗大便器装置１の施工に関わらず、工場にて便器本体２のボウル部６よりも後方側の開放された所定の設置スペースＳ１に対して上方側から貯水タンク２０を挿入して組み付け後に、現場で施工する状況であってもよいし、様々な状況において適用可能である。
【００１８】
つぎに、図３〜図６に示すように、貯水タンク２０の内部には、給水管１８から定流量弁２２を介して供給された洗浄水を給止水する給水弁として、主弁２４を含む給水弁装置２６が内装されており、貯水タンク２０内の給水弁装置２６の下流側には、真空破壊弁２８を介して接続されたジェットポンプユニット３０（詳細は後述する）が内装されている。
また、図４〜図６に示すように、洗浄水タンク装置４は、便器本体２の前方側から見て貯水タンク２０の左側側部に設けられて給水弁装置２６の作動を操作するための操作レバー３２を備えている。
【００１９】
つぎに、図４及び図６に示すように、ジェットポンプユニット３０は、貯水タンク２０の内部において少なくとも一部が水没した状態で配置されており、真空破壊弁２８から延びる給水管３４から供給された洗浄水を噴射するジェットノズル３６を備えている。ここで、真空破壊弁２８は、外部から空気を吸入して真空破壊弁２８からジェットノズル３６までの給水管３４内が負圧にならないようにするためのものである。
また、図４及び図６に示すように、ジェットポンプユニット３０は、ジェットノズル３６の下流側近傍に設けられてジェットノズル３６から噴射された洗浄水の流路を貯水タンク２０内の水位に応じて切り替える流路切替弁３８を備えている。
さらに、図３〜図６に示すように、ジェットポンプユニット３０は、一端に吸引口４０ａが形成される共に他端に洗浄水を流出させる流出口４０ｂが形成されたスロート管４０を備えている。このスロート管４０は、図４に示すように、その吸引口４０ａから流出口４０ｂまで延びた管形状が、例えば、逆Ｕ字形状（或いは、他の言い方をすれば、逆Ｊ字形状、又はグースネック型形状）に形成されている。
また、ジェットノズル３６は、スロート管４０の吸引口４０ａと対向するように配置されており、これらのスロート管４０の吸引口４０ａとジェットノズル３６は、常時、貯水タンク２０内で水没した状態となっている。
【００２０】
また、図６に示すように、流路切替弁３８は、便器本体２のボウル部６の洗浄時にジェットノズル３６からジェット噴射した洗浄水をスロート管４０の吸引口４０ａからスロート管４０内に流入させて、流出口４０ｂから便器本体２の導水路１４側に流出させる便器洗浄用流路４２と、貯水タンク２０の貯水時にジェットノズル３６からジェット噴射した洗浄水をスロート管４０内に流入させないように、スロート管４０の外部の貯水タンク２０内に差し向けるタンク貯水用流路４４とのいずれかの流路に貯水タンク２０内の水位に応じて切り替え可能となっている。これにより、流路切替弁３８が便器洗浄用流路４２に設定している場合には、ジェットノズル３６がスロート管４０の吸引口４０ａから内部に向けて洗浄水をジェット噴射することにより、スロート管４０内を流れる洗浄水の流量をジェットノズル３６から噴射された洗浄水の流量よりも増大させるジェットポンプ作用を誘発させて、増大した流量の洗浄水がスロート管４０の流出口４０ｂから便器本体２の導水路１４に向けて供給されるようになっている。
すなわち、本明細書中に記載されている「ジェットポンプ作用」という用語については、ジェットノズル３６からスロート管４０の吸引口４０ａに向けて噴射される勢いのある洗浄水の流れ自体が、ポンプ等の他の機械要素に依存することなく、直接的にスロート管４０の吸引口４０ａの近傍等の周囲の洗浄水を引き込むような負圧を形成し、この負圧を利用してスロート管４０内に吸い込んだ貯水タンク２０内の洗浄水を便器本体２側へ搬送する作用を意味している。
【００２１】
なお、図４〜図６に示すように、給水弁装置２６については、その構造や作動機構については従来と同様であるため、具体的な説明については省略するが、主弁２４は、パイロット式のダイアフラム弁であり、駆動軸４６により操作レバー３２に接続されて且つこの操作レバー３２の操作により開閉される第１のパイロット弁（図示せず）の動作によって開閉可能であると共に、貯水タンク２６内の洗浄水の水位に伴い上下動するフロート４８の上下動により開閉される第２のパイロット弁（図示せず）の動作とによって開閉可能となっている。
【００２２】
つぎに、図７は、図２のＡ部拡大図であり、図８は、図３のＢ部拡大図である。
図２〜図４、図７及び図８に示すように、便器本体２の導水路１４の後方側の流入口１４ａには、便器本体側接続部の一部であるスパッド５０が水密に接続されており、このスパッド５０には、その後方側から便器本体側接続部の一部である接続管部材５２の一端が挿入されて水密に接続されている。
また、図２〜図４、図７及び図８に示すように、接続管部材５２は、スパッド５０に水密に接続された一端部（前端部）から後方側にほぼ水平方向に延びた後、上方側に差し向けられた屈曲管路である便器本体側接続管路５２ａを形成しており、接続管部材５２の他端部（上端部５２ｂ）は、上下方向に貫く開口端を形成している。
さらに、接続管部材５２の上端部５２ｂには、シール部材であるほぼ円環状のヒレパッキン５４が上方から便器本体側接続管路５２ａ内に挿入された状態で水密に接続されている。
また、このヒレパッキン５４の内周側には、貯水タンク２０に一体にほぼ円筒状に形成されたタンク側接続部５６が挿入された状態で水密に接続されており、このタンク側接続部５６は、その内側にタンク側接続管路５６ａを形成している。
なお、本実施形態では、便器本体２の導水路１４に対して、便器本体側接続部であるスパッド５０及び接続管部材５２のそれぞれが別体である形態について説明するが、このような形態に限定されず、便器本体側接続部であるスパッド５０及び接続管部材５２の部分が便器本体２の導水路１４に対して同一の陶器製等で一体に形成された形態であってもよい。
また、本実施形態では、接続管部材５２とタンク側接続部５６との間に水密に接続可能に設けられたシール部材としてヒレパッキン５４を採用した形態について説明するが、変形例として、ヒレパッキン以外の円環状のパッキンやＯリング等のシール部材を用いてもよい。この場合、このシール部材が段部５８の接続口５８ａの下側面等、便器本体側接続部とタンク側接続部との間に予め設けられて、接続部材であるボルト及びナットを用いて便器本体側接続部とタンク側接続部との接続部について上下両側から締め付けることにより、便器本体側接続部とタンク側接続部を水密に接続するようにしてもよい。
さらに、本実施形態では、ほぼ円筒状のタンク側接続部５６については、貯水タンク２０に一体に形成された形態について説明するが、貯水タンク２０とは別体の筒状の部材であってもよい。
【００２３】
つぎに、図３〜図５、図７及び図８に示すように、貯水タンク２０は、その内部において、その前方側の左右方向の中央部に一体に形成された段部５８を備えており、この段部５８は、貯水タンク２０内の前面（内側前面２０ａ）から後方側に向かってに突出すると共に底面２０ｂから上方に延びて、筒状のタンク側接続部５６の側方及びその後方側の外周部分を取り囲むように形成されている。
また、図３〜図５、図７及び図８に示すように、貯水タンク２０の段部５８は、スロート管４０の流出口４０ｂを形成するスロート管側接続部６０が接続されると共に、タンク側接続管路５６ａと連通する接続口５８ａが形成された上端部５８ｂを備えている。この段部５８の上端部５８ｂは、図４及び図５に示すように、貯水タンク２０が便器本体２のボウル部６よりも後方側の所定の設置スペースＳ１に上方側から組み付けられる際に、作業者が便器本体側接続部である接続管部材５２の上端部５２ｂとタンク側接続部５６とをヒレパッキン５４を介して水密に接続する水密接続操作として、上方から下方への押し込み操作が可能となるように、貯水タンク２０内の満水水位ＷＬ０よりも上方に位置している。
さらに、図３〜図５、図７及び図８に示すように、便器本体側接続部であるスパッド５０及び接続管部材５２、並びにタンク側接続部５６については、貯水タンク２０を便器本体２に対して水密に接続する際に、これらの部分５０，５２、５６の左右側方及び後方側が段部５８の外側壁部５８ｃ（図７参照）に覆われていると共に、これらの部分５０，５２、５６の上方側が段部５８の上側壁部５８ｄ（図７参照）に覆われており、また、これらの部分５０，５２、５６の前方側と下方側が便器本体２により覆われているため、これらの部分５０，５２、５６の周囲、すなわち、これらの部分５０，５２、５６の前後方向、上下方向、及び左右方向が作業者の直接的なアクセスが不能に覆われている。
なお、本実施形態の水洗大便器装置１においては、段部５８が貯水タンク２０内の前面（内側前面２０ａ）から後方側に向かってに突出すると共に底面２０ｂから上方に延びて、筒状のタンク側接続部５６の側方及びその後方側の外周部分を取り囲むように形成されていることにより、タンク側接続部５６の側方が作業者の直接的なアクセスが不能にタンク２０により覆われている形態について説明するが、このような形態に限られず、作業者の直接的なアクセスが不能に覆われている他の形態として、タンク側接続部５６の側方が便器本体２の一部及びタンク２０の一部の双方によって覆われている形態であってもよい。
また、本明細書中の「作業者の直接的なアクセスが不能に覆われている」という記載中の「覆われている」という文言については、作業者の手が入らない（アクセスできない）程度の隙間も含むことを意味している。
【００２４】
また、図３及び図４に示すように、貯水タンク２０内には、いつかの段部が形成されているが、特に、段部５８は、貯水タンク２０内に形成れた段部の中でも、貯水タンク２０内の最低水位（デッドウォータラインＤＷＬ）よりも上方に位置する唯一の段部となっている。
【００２５】
つぎに、図５に示すように、貯水タンク２０の段部５８は、貯水タンク２０内の前方側の左右方向の中央部に形成されているため、平面視で貯水タンク２０を左右方向に二等分する中心軸線Ａ１上に位置していると共に、平面視で貯水タンク２０を前後方向に二等分する中心軸線Ａ２よりも前方側に位置している。
一方、図５に示すように、給水弁装置２６及びスロート管４０のそれぞれは、貯水タンク２０が便器本体２の後方側の所定の設置位置に上方側から組み付けられる際に、段部５８の上端部５８ｂの一部について上方から下方への押し込み操作が可能となるように、貯水タンク２０内の左右方向の一方側の領域に片寄って配置されている。
より具体的に説明すると、図５に示すように、給水弁装置２６は、貯水タンク２０内において、平面視で貯水タンク２０を左右方向に二等分する中心軸線Ａ１よりも右側に配置されていると共に、平面視で貯水タンク２０を前後方向に二等分する中心軸線Ａ２よりも後方側に片寄って配置されている。
また、図５に示すように、スロート管４０は、貯水タンク２０内において、平面視で貯水タンク２０を左右方向に二等分する中心軸線Ａ１よりも右側に配置されていると共に、平面視で貯水タンク２０を前後方向に二等分する中心軸線Ａ２よりも前方側に片寄って配置されている。
【００２６】
つぎに、図５に示すように、段部５８の上端部５８ｂは、その左右の幅方向の一方向の領域に形成されてスロート管側接続部６０と干渉することなく押し込み操作が可能な操作領域面Ｆ１と、スロート管側接続部６０とこれに近接する貯水タンク２０内の前壁部である内側前面２０ａとの間に形成されて操作領域面Ｆ１の面積よりも小さい前側領域面Ｆ２とを備えている。
なお、本実施形態では、図５に示すように、スロート管側接続部６０と干渉することなく押し込み操作が可能な操作領域面Ｆ１について、段部５８の上端部５８ｂの左右の幅方向の一方向の領域に形成された形態について説明するが、段部５８の上端部５８ｂの左右の幅方向の両方向の領域に形成された形態であってもよい。
【００２７】
つぎに、図８に示すように、便器本体側接続部である接続管部材５２の上端部５２ｂ、シール部材であるヒレパッキン５４、及びタンク側接続部５６のそれぞれは、貯水タンク２０が便器本体２の後方側の所定の設置位置に上方側から組み付けられた状態で、段部５８の鉛直方向下方に互いに重なり合うように配置されている。そして、操作領域面Ｆ１が下方に押し込まれることによりタンク側接続部５６がヒレパッキン５４を介して接続管部材５２の上端部５２ｂから便器本体側接続管路５２ａ内に押し込まれ、ヒレパッキン５４は、接続管部材５２の上端部５２ｂから便器本体側接続管路５２ａ内に差し込まれ、その差し込み距離ｄが所定の差し込み距離ｄ０だけ差し込まれた状態で、貯水タンク２０と便器本体２との水密な接続が完了するようになっている。
なお、本実施形態では、一例として、貯水タンク２０が便器本体２のボウル部６よりも後方側の所定の設置スペースＳ１に上方側から組み付けられる際に、作業者が便器本体側接続部である接続管部材５２の上端部５２ｂとタンク側接続部５６とをヒレパッキン５４を介して水密に接続する水密接続操作が可能な形態として、作業者が貯水タンク２０の段部５８の上端部５８ｂの操作領域面Ｆ１について上方から下方への押し込み操作が可能な形態について説明するが、接続管部材５２の上端部５２ｂとタンク側接続部５６とをシール部材を介して締結部材等で固定操作する等、押し込み操作以外の操作によって上述した水密接続操作を行うようにしてもよい。
【００２８】
つぎに、図３、図４及び図８に示すように、便器本体２の後方側における貯水タンク２０が設置される設置スペースＳ１の底面６２には、接続管部材５２の屈曲部の下側面５２ｃ付近まで上方に柱状に延びる陶器製の力分散部６４が一体に形成されている。
この力分散部６４は、貯水タンク２０が所定の設置位置に上方側から組み付けられた状態で段部５８の上端部５８ｂの操作領域面Ｆ１が下方に押し込まれた際に、便器本体側接続部である接続管部材５２の屈曲部の下側面５２ｃについて便器本体２側で支持可能に設けられており、タンク側接続部５６から接続管部材５２に作用する押し込み力が分散可能となっている。
なお、本実施形態では、力分散部６４が便器本体２に一体に形成された形態について説明するが、接続管部材５２に一体に形成された形態であってもよいし、力分散部６４が便器本体２や接続管部材５２とは別体である力分散部材の形態であってもよい。
【００２９】
つぎに、図７及び図８に示すように、ほぼ円環状に形成されたパッキン部材であるヒレパッキン５４の外周面には、その径方向外側に突出する複数の可撓性の突起部である下側ヒレ部５４ａ及び上側ヒレ部５４ｂが全周に亘って形成されている。また、これらのヒレ部５４ａ，５４ｂは、ヒレパッキン５４の外周面の軸方向に間隔を置いて複数配列されている。
また、ヒレパッキン５４の複数のヒレ部５４ａ，５４ｂにより、便器側接続部である接続管部材５２とタンク側接続部５６の互いの軸心がずれていても、確実に水密性を保つことができるようになっている。
【００３０】
また、図７及び図８に示すように、シール部材であるヒレパッキン５４は、貯水タンク２０が所定の設置位置に上方側から組み付けられるときに、貯水タンク２０のタンク側接続部５６と共に接続管部材５２の便器本体側接続管路５２ａ内に押し込まれることによりタンク側接続部５６を接続管部材５２に水密に接続するものであるが、このときのヒレパッキン５４に作用する押し込み力は、接続管部材５２に水密に接続されているタンク側接続部５６を接続管部材５２に対して引き抜いて取り外す際にヒレパッキン５４に作用する引き抜き力よりも小さくなるように設定されている。
【００３１】
つぎに、図９は、本発明の第１実施形態による水洗大便器装置の背面図である。
図９に示すように、本実施形態の水洗大便器装置１は、洗浄水タンク装置４の貯水タンク２０が所定の設置スペースＳ１に設置された状態で、貯水タンク２０の背面側且つ左右両側の基底部２０ｃについて、貯水タンク２０の姿勢が水平状態に維持されるように便器本体２に固定する固定部であり且つ水平維持部である一対の固定装置６６を備えている。
【００３２】
図１０は、図９に示す本発明の第１実施形態による水洗大便器装置における洗浄水タンク装置の貯水タンクを便器本体に固定する固定装置を拡大した概略斜視図であり、図１１は、本発明の第１実施形態による水洗大便器装置における洗浄水タンク装置の貯水タンクを便器本体に固定する固定装置の概略図である。
図１０及び図１１に示すように、固定装置６６は、便器本体２の後方側の貯水タンク２０の設置スペースＳ１の底面６２の取付穴６２ａに挿入されて取り付けられたゴムブッシュ６８と、貯水タンク２０の基底部２０ｃを上下方向に貫くタンク固定用の長穴２０ｄ内に配置されたクッション等からなる可撓性部材７０と、ゴムブッシュ６８に可撓性部材７０を介して取り付けられたボルト７２と、このボルト７２に取り付けられると共にその下面が貯水タンク２０の底面２０ｂと接触可能である座金７４と、ボルト７２に取り付けられると共にその下面が座金７４の上面に接触可能であるばね座金７６とを備えている。
また、ボルト７２の頭部（上端部）には、その下面がばね座金７６の上面に接触可能であるボルト操作部７８が径方向外側に突出するように一体に形成されている。
さらに、ゴムブッシュ６８は、ボルト７２の下方部分が螺合されるナットとして機能するようにもなっている。
そして、これらの要素６８，７０，７２，７４，７６，７８は、貯水タンク２０の姿勢を水平状態に調整可能な水平調整部として機能するようになっている。
なお、本実施形態では、ゴムブッシュ６８と可撓性部材７０とが互いに別部材である形態について説明するが、両者６８，７０が互いに一体に形成された部材であってもよい。
【００３３】
より具体的に説明すると、図９〜図１１に示すように、固定装置６６は、貯水タンク２０が便器本体２の後方側の所定の設置位置に組み付けられた後、ボルト操作部７８は締め付け操作が可能な操作部として機能するようになっており、このボルト操作部７８の締め付け具合に応じて、可撓性部材７０が軸方向に圧縮されるときの弾性変形量が調整可能となるため、貯水タンク２０の便器本体２に対する高さ位置を調整することができるようになっている。
したがって、貯水タンク２０が便器本体２の後方側の所定の設置位置に組み付けられた後、固定装置６６により便器本体２に固定された状態で、例えば、貯水タンク２０の高さ位置を微調整したり、貯水タンク２０の姿勢を水平状態に微調整したりする必要等が生じた場合には、貯水タンク２０を便器本体２の後方側の所定の設置位置から取り外すことなく、ボルト操作部７８の締め付け具合を操作して可撓性部材７０の変形具合や、便器本体２と貯水タンク２０との固定装置６６による締結具合を調整するだけで、簡単に貯水タンク２０の高さ位置を微調整したり、簡単に貯水タンク２０の姿勢を水平状態に微調整したりすることができるようになっている。
なお、本実施形態では、固定装置６６が可撓性部材７０を備えた形態について説明するが、可撓性部材７０については省略した形態であってもよい。
【００３４】
また、図１１に示すように、本実施形態では、貯水タンク２０の基底部２０ｃにおけるタンク固定用の長穴２０ｄの大きさが、ボルト７２や可撓性部材７０の外径よりもある程度の大きく設定された調整穴として機能しているため、貯水タンク２０の寸法誤差や陶器製の便器本体２の多少の寸法誤差があっても、貯水タンク２０を長穴２０ｄの範囲内で移動させて位置を微調整することができ、寸法誤差を吸収することができるようになっている。
【００３５】
つぎに、図１２は、本発明の第１実施形態による水洗大便器装置における便器本体と貯水タンクとの接続状態を確認するときの状態を示す斜視図である。
図２及び図１２に示すように、貯水タンク２０の外側前面２０ｅには、接続状態確認手段として、水平左右方向に延びる押し込み深さ確認ラインＬ１が設けられている。
一方、便器本体２における後方側の貯水タンク２０の設置スペースＳ１の前側上縁部８０の水平左右方向に延びるラインＬ２についても、貯水タンク２０の押し込み深さ確認ラインＬ１と一致するか否かを確認するための便器本体側の確認ラインＬ２となっており、接続状態確認手段として機能している。
ここで、図１２に示す貯水タンク２０においては、貯水タンク２０が便器本体２の後方側の所定の設置スペースＳ１内に組み付けられた後、タンク蓋８２が便器本体２における後方側の貯水タンク２０の設置スペースＳ１の上端部に取り付けられる前に、押し込み深さ確認ラインＬ１が便器本体側の確認ラインＬ２と平行であり、且つ両者Ｌ１，Ｌ２の高さ位置とほぼ一致しており、貯水タンク２０が便器本体２の後方側の所定の設置位置に正しく設置されている状態となっている。
【００３６】
つぎに、図１〜図１５を参照して、本発明の第１実施形態による水洗大便器装置１の洗浄水タンク装置４を便器本体２の所定の設置位置に設置する方法、及び本発明の第１実施形態による水洗大便器装置１の作用について説明する。
まず、図１３Ａは、本発明の第１実施形態による水洗大便器装置において洗浄水タンク装置の貯水タンクが便器本体の後方側の所定の設置位置に組み付けられていない施工開始前状態を示す概略断面図である。
つぎに、図１３Ｂは、図１３Ａに示す施工開始前状態の後、本発明の第１実施形態による水洗大便器装置の洗浄水タンク装置の貯水タンクが便器本体の後方側の所定の設置位置に組み付けられる前に、便器本体の導水路の流入口にスパッドのみが水密に接続された第１の施工状態を示す概略断面図である。
また、図１３Ｃは、図１３Ｂに示す第１の施工状態の後、本発明の第１実施形態による水洗大便器装置の洗浄水タンク装置の貯水タンクが便器本体の後方側の所定の設置位置に組み付けられる前に、便器本体の導水路の流入口に水密に接続されたスパッドに接続管部材が水密に接続された第２の施工状態を示す概略断面図である。
さらに、図１３Ｄは、図１３Ｃに示す第２の施工状態の後、本発明の第１実施形態による水洗大便器装置の洗浄水タンク装置の貯水タンクのタンク側接続部が接続管部材に水密に接続されることにより貯水タンクが便器本体の後方側の所定の設置位置に上方側から組み付けられた第３の施工状態を示す概略断面図である。
つぎに、図１４Ａは、図１３Ｃに示す第２の施工状態と図１３Ｄに示す第３の施工状態との間の状態において、本発明の第１実施形態による水洗大便器装置のヒレパッキンの下側ヒレ部及び上側ヒレ部が接続管部材の接続管路に差し込まれる直前の状態を示す概略正面断面図である。
また、図１４Ｂは、本発明の第１実施形態による水洗大便器装置のヒレパッキンの下側ヒレ部のみが図１４Ａに示す状態から接続管部材の接続管路内に差し込まれたときの差し込み途中状態を示す概略正面断面図である。
さらに、図１４Ｃは、本発明の第１実施形態による水洗大便器装置のヒレパッキンの下側ヒレ部及び上側ヒレ部の双方が図１４Ｂに示す状態から接続管部材の接続管路内の差し込み完了位置までに差し込まれたときの差し込み完了状態を示す概略正面断面図である。
【００３７】
まず、図１３Ａに示すように、作業者は、本実施形態による水洗大便器装置１の洗浄水タンク装置４を便器本体２の後方側の所定の設置スペースＳ１内に設置する前の施工開始前状態から施工を開始し、その後、図１３Ｂに示すように、スパッド５０を上方から設置スペースＳ１内に挿入する。そして、このスパッド５０を便器本体２の導水路１４の流入口１４ａに対して後方側から挿入することにより、スパッド５０のみを便器本体２の導水路１４の流入口１４ａに対して水密に接続した状態である第１の施工状態となる。
【００３８】
つぎに、図１３Ｂに示す第１の施工状態の後、図１３Ｃに示すように、接続管部材５２を上方から設置スペースＳ１内に挿入した後、この接続管部材５２の上端部５２ｂが上方に差し向けられた姿勢で接続管部材５２の前端部５２ｄについて、便器本体２の導水路１４の流入口１４ａに水密に接続されたスパッド５０に対して後方側から挿入して水密に接続する。これにより、接続管部材５２がスパッド５０に対して水密に接続された第２の施工状態となり、接続管部材５２の接続管路（便器本体側接続管路５２ａ）と便器本体２の導水路１４とが連通した状態となる。
また、図１３Ｂに示すように、第２の施工状態では、便器本体２の力分散部６４によって接続管部材５２の屈曲部の下側面５２ｃが下側から支持されている状態となる。
【００３９】
つぎに、図１３Ｃに示す第２の施工状態の後、図１３Ｄに示すように、洗浄水タンク装置４の貯水タンク２０内に給水弁装置２６やジェットポンプユニット３０等の関連部材が予め組み付けられた状態の貯水タンク２０について、タンク側接続部５６の下端部にヒレパッキン５４を取り付けた状態で、上方から所定の設置スペースＳ１内に挿入した後、タンク側接続部５６の下端部及びヒレパッキン５４が接続管部材５２の上端部５２から接続管部材５２の接続管路（便器本体側接続管路５２ａ）内に差し込まれる。
このとき、作業者は、貯水タンク２０内の段部５８の上端部５８の操作領域面Ｆ１（図５参照）を上方から下方に向かって手で押し込む押し込み操作を行うことによって、タンク側接続部５６の下端部及びヒレパッキン５４が接続管部材５２の上端部５２から接続管部材５２の便器本体側接続管路５２ａ内に所定の差し込み距離ｄ０（図８及び図１４Ｃ参照）だけ差し込まれた状態となる。
これらにより、図１３Ｄに示すように、貯水タンク２０が便器本体２の後方側の所定の設置位置に上方側から組み付けられて、タンク側接続部５６の下端部及びヒレパッキン５４と接続管部材５２とが水密に接続された第３の施工状態となる。
【００４０】
ちなみに、図１５は、本発明の第１実施形態による水洗大便器装置のヒレパッキンにおける接触後の差し込み距離と押し込み力（接触抵抗）との関係を定性的に示す線図と、本発明の第１実施形態による水洗大便器装置のヒレパッキンの変形例における差し込み距離と押し込み力（接触抵抗）との関係を定性的に示す線図とを比較した図である。
ここで、図１５の横軸は、タンク側接続部５６の下端部及びヒレパッキン５４が接続管部材５２の上端部５２ｂに差し込まれるときの差し込み距離ｄを示しており、図１５の縦軸は、タンク側接続部５６の下端部及びヒレパッキン５４が接続管部材５２の上端部５２ｂに差し込まれるときに貯水タンク２０の段部５８の上端部５８の操作領域面Ｆ１（図５参照）を上方から下方に向かって押し込み操作を行うときの押し込み力Ｐに相当し、ヒレパッキン５４の各ヒレ部５４ａ，５４ｂが接続管部材５２の接続管路（便器本体側接続管路５２ａ）に接触したときの接触抵抗Ｒと定性的に一致している。
図１４Ａに示すタンク側接続部５６の下端部及びヒレパッキン５４が接続管部材５２の接続管路（便器本体側接続管路５２ａ）内に差しまれる直前の状態から、図１４Ｂ及び図１５に示すように、タンク側接続部５６の下端部及びヒレパッキン５４がさらに差し込み距離ｄ１まで差し込まれた状態では、ヒレパッキン５４の下側ヒレ部５４ａのみが便器本体側接続管路５２ａ内と接触する。
そして、図１５に示すように、さらに、タンク側接続部５６の下端部及びヒレパッキン５４が差し込み距離ｄ２（＞ｄ１）まで差し込まれると、ヒレパッキン５４の下側ヒレ部５４ａ及び上側ヒレ部５４ｂの双方による便器本体側接続管路５２ａ内との接触が開始する。このとき、図１５における、差し込み距離ｄがｄ１からｄ２までの区間では、ヒレパッキン５４の下側ヒレ部５４ａのみが接触した状態となっているため、押し込み力Ｐ及び接触抵抗Ｒは、比較的緩やかな傾きでほぼ比例的に押し込み力Ｐ１及び接触抵抗Ｒ１まで増加する。
その後、図８、図１４Ｃ及び図１５に示すように、タンク側接続部５６の下端部及びヒレパッキン５４が最大差し込み距離ｄ０（＞ｄ２）まで差し込まれると、タンク側接続部５６の下端部及びヒレパッキン５４が接続管部材５２の便器本体側接続管路５２ａ内の差し込み完了位置までに差し込まれ、差し込み完了状態となる。このとき、図１５における、差し込み距離ｄがｄ２からｄ０までの区間では、ヒレパッキン５４の下側ヒレ部５４ａ及び上側ヒレ部５４ｂの双方が接触した状態となっているため、押し込み力Ｐ及び接触抵抗Ｒは、ヒレパッキン５４の下側ヒレ部５４ａのみが接触した状態よりも大きな抵抗でほぼ比例的に押し込み力Ｐ２及び接触抵抗Ｒ２まで増加する。
【００４１】
つぎに、図１３Ｄに示す第３の施工状態の後、図９〜図１１に示すように、固定装置６６によりボルト７２のボルト操作部７８の締め付け具合を調整しながら、貯水タンク２０の背面側且つ左右両側の基底部２０ｃについて、貯水タンク２０の姿勢が水平状態に維持されるように便器本体２に対して固定する。
そして、図１２に示すように、押し込み深さ確認ラインＬ１が便器本体側の確認ラインＬ２と平行であり、且つ両者Ｌ１，Ｌ２の高さ位置とほぼ一致していることを確認し、貯水タンク２０が便器本体２の後方側の所定の設置位置に正しく設置されている状態が確認できた場合には、便器本体２における後方側の貯水タンク２０の設置スペースＳ１の上端部にタンク蓋８２を取り付け、図３に示すような施工が完了した状態となる。
【００４２】
一方、貯水タンク２０が便器本体２の後方側の所定の設置位置に正しく設置されている状態が確認できない場合には、貯水タンク２０内の姿勢が水平状態になっていないおそれがあるため、貯水タンク２０を所定の設置位置から取り外すことなく、貯水タンク２０の基底部２０ｃのタンク固定用の長穴２０ｄの範囲内で貯水タンク２０の位置をずらすことにより、設定スペースＳ１内の貯水タンク２０の便器本体２に対する前後方向や左右方向の相対位置を調整したり、再度、図９〜図１１に示すように、固定装置６６のボルト操作部７８の締め付け具合を調整しながら、ゴムブッシュ６８や可撓性部材７０の弾性変形量を調整することにより、図１２に示すように、正しい設置状態が確認できるまで、貯水タンク２０の便器本体２に対する高さ位置を調整したりする等の微調整を行う。
【００４３】
一方、図１５では、本発明の第１実施形態による水洗大便器装置１のヒレパッキン５４の変形例として、２つのヒレ部５４ａ，５４ｂの代わりに単一の可撓性のヒレ部を設けた例であり、この単一のヒレ部は、その厚みが上述した各ヒレ部５４ａ，５４ｂの厚みよりも大きいため、各ヒレ部５４ａ，５４ｂよりも高い剛性を備えている。
したがって、変形例のヒレパッキンでは、単一のヒレ部と接続管部材５２の便器本体側接続管路５２ａ内との接触が開始すると、押し込み力Ｐ及び接触抵抗Ｒは、２つのヒレ部５４ａ，５４ｂを備えたヒレパッキン５４よりも大きな抵抗で比例的に増加し、かつ、差し込み距離ｄ２よりも小さい差し込み距離ｄ３で押し込み力Ｐ２及び接触抵抗Ｒ２に到達することができ、差し込み完了状態にすることができる。
【００４４】
上述した本発明の第１実施形態による水洗大便器装置１によれば、作業者により貯水タンク２０が便器本体２のボウル部６よりも後方側の所定の設置スペースＳ１に上方側から組み付けられて、貯水タンク２０を便器本体２に対して水密に接続する際に、便器本体側接続部である接続管部材５２及びタンク側接続部５６のそれぞれに対して、その周囲が作業者の直接的なアクセスが不能に覆われている状況であっても、貯水タンク２０内の段部５８の上端部５８ｂが貯水タンク２０内の満水水位ＷＬ０よりも上方に位置していることにより、作業者は貯水タンク２０の上方から貯水タンク２０内の段部５８の上端部５８ｂに簡単に直接的にアクセスすることができる。
したがって、貯水タンク２０内の段部５８の上端部５８ｂに直接的にアクセスした作業者は、接続管部材５２の上端部５２ｂとタンク側接続部５６とをヒレパッキン５４を介して水密に接続する水密接続操作を貯水タンク２０内の段部５８の上端部５８ｂについて単純に行うだけで、タンク側接続部５６についてヒレパッキン５４を介して接続管部材５２に確実に水密に接続することができ、貯水タンク２０を便器本体２に簡単に水密に接続することができる。
【００４５】
また、本実施形態による水洗大便器装置１によれば、貯水タンク２０内の段部５８が、貯水タンク２０内の最低水位ＤＷＬよりも上方に位置するように貯水タンク２０内に形成された唯一の段部であることにより、貯水タンク２０内における段部５８の占有スペースを抑制することができるため、貯水タンク２０の全体を小型化することができる。
【００４６】
さらに、本実施形態による水洗大便器装置１によれば、貯水タンク２０内の段部５８が貯水タンク２０内の左右方向の中央部に形成され、貯水タンク２０内の段部５８の上端部５８ｂの一部について押し込み操作が可能となるように給水弁装置２６及びスロート管４０等が貯水タンク２０内の左右方向の一方側の領域に片寄って配置されているため、作業者により貯水タンク２０が便器本体２の導水路１４の後方側の所定の設置位置に上方側から組み付けられて、タンク側接続部５６がヒレパッキン５４を介して接続管部材５２に水密に接続される際に、貯水タンク２０内の段部５８の上端部５８ｂに直接的にアクセスした作業者が貯水タンク２０内の段部５８の上端部５８ｂを水密接続操作するときの操作スペースを確保することができる。
したがって、作業者は、貯水タンク２０内の段部５８の上端部５８ｂの一部について確実に水密接続操作を行うことができ、タンク側接続部５６についてヒレパッキン５４を介して接続管部材５２に確実に水密に接続して、貯水タンク２０を便器本体２に確実に水密に接続することができる。
【００４７】
さらに、本実施形態による水洗大便器装置１によれば、貯水タンク２０内の段部５８の上端部５８ｂがその左右の幅方向の一方向の領域に形成されてスロート管側接続部６０と干渉することなく水密接続操作が可能な操作領域面Ｆ１を備えていると共に、スロート管側接続部６０とこれに近接する貯水タンク２０の内側前面２０ａとの間に形成されて操作領域面Ｆ１の面積よりも小さい前側領域面Ｆ２を備えていることにより、貯水タンク２０内の段部５８の上端部５８ｂの操作領域面Ｆ１について、スロート管側接続部６０と干渉することなく比較的大きく設定することができるため、段部５８の上端部５８ｂの操作領域面Ｆ１における水密接続操作を行い易くすることができる。
また、貯水タンク２０内の段部５８の上端部５８ｂの前側領域面Ｆ２について比較的小さく設定することができ、貯水タンク２０内のデッドスペースを最小限にすることができるため、貯水タンク２０の全体を小型化することができる。
【００４８】
また、本実施形態による水洗大便器装置１によれば、ヒレパッキン５４、タンク側接続部５６、及び接続管部材５２のそれぞれについて、貯水タンク２０が所定の設置位置に上方側から組み付けられた状態で段部５８の鉛直方向下方に互いに重なり合うように配置されており、操作領域面Ｆ１が下方に押し込まれることによりタンク側接続部５６の下端部がヒレパッキン５４を介して接続管部材５２の便器本体側接続管路５２ａ内に差し込まれて、貯水タンク２０と便器本体２とを水密に接続可能にするものであるため、貯水タンク２０が便器本体２のボウル部６よりも後方側の所定の設置スペースＳ１に上方側から組み付けられる際に作業者により貯水タンク２０内の段部５８の操作領域面Ｆ１について押し込み操作が行われた際には、この段部５８の鉛直方向下方に互いに重なり合うヒレパッキン５４、タンク側接続部５６、及び接続管部材５２のそれぞれに対して効率よく押し込み力Ｐを作用させて、互いに確実に水密に接続させることができる。
したがって、ヒレパッキン５４、タンク側接続部５６、及び接続管部材５２のそれぞれの水密接続時の押し込み操作に要する段部５８の押し込み力Ｐを比較的小さな力で済ませることができるため、押し込み操作が直接的に行われる段部５８自体についても小さくすることもできるため、貯水タンク２０の全体も小型化することができる。
【００４９】
さらに、本実施形態による水洗大便器装置１によれば、貯水タンク２０が所定の設置位置に上方側から組み付けられた状態で段部５８の上端部５８ｂの操作領域面Ｆ１が下方に押し込まれた際に、接続管部材５２の屈曲部の下側面５２ｃを便器本体側で支持可能に設けられてタンク側接続部５６から接続管部材５２に作用する押し込み力Ｐを分散可能にする力分散部６４をさらに有することにより、タンク側接続部５６を接続管部材５２に対して上方から下方に押し込む操作が行われて、タンク側接続部５６から接続管部材５２に過度な押し込み力Ｐが加わったとしても、この押し込み力Ｐを力分散部６４により分散させることができるため、接続管部材５２が破損してしまうことを防ぐことができる。
【００５０】
つぎに、図１６を参照して、本発明の第２実施形態による水洗大便器装置１００について説明する。
図１６は、本発明の第２実施形態による水洗大便器装置を示す、図４と同様な正面断面図である。
ここで、図１６に示す本発明の第２実施形態による水洗大便器装置１００において、図４に示す本発明の第１実施形態による水洗大便器装置１と同一部分については同一の符号を付し、これらの説明については省略する。
図１６に示すように、本実施形態による水洗大便器装置１００では、接続管部材５２を下側から支持する力分散部材１６４が設けられており、この力分散部材１６４のベース部１６４ａが便器本体２の後方側の貯水タンク２０の設置スペースＳ１の底面６２に固定されている点で、上述した本発明の第１実施形態による水洗大便器装置１の便器本体２に一体的に形成された力分散部６４と異なった形態となっている。
【００５１】
上述した本発明の第２実施形態による水洗大便器装置１００によれば、タンク側接続部５６を接続管部材５２に対して上方から下方に押し込む操作が行われて、タンク側接続部５６から接続管部材５２に過度な押し込み力Ｐが加わったとしても、この押し込み力Ｐを力分散部材１６４により分散させることができるため、接続管部材５２が破損してしまうことを防ぐことができる。
【００５２】
つぎに、図１７を参照して、本発明の第３実施形態による水洗大便器装置２００について説明する。
図１７は、本発明の第３実施形態による水洗大便器装置において、洗浄水タンク装置の貯水タンクが所定の設置位置に組み付けられる前の状態の便器本体を背面側から見た概略斜視図である。
ここで、図１７に示す本発明の第３実施形態による水洗大便器装置２００において、上述した本発明の第１実施形態による水洗大便器装置１と同一部分については同一の符号を付し、これらの説明については省略する。
図１７に示すように、本実施形態による水洗大便器装置２００では、便器本体２の導水路１４の流入口１４ａに水密に接続されたスパット５０と貯水タンク２０のタンク側接続５６との間に水密に接続される接続管部材２５２がその上端部２５２ａから左右方向に一体にフランジ状に形成された力分散部２６４を備えおり、この力分散部２６４の左右方向の両端部が便器本体２の一部に支持固定されている点で、上述した本発明の第１実施形態による水洗大便器装置１の便器本体２に一体的に形成された力分散部６４、及び本発明の第２実施形態による水洗大便器装置１００の力分散部材１６４のそれぞれと異なった形態となっている。
【００５３】
上述した本発明の第３実施形態による水洗大便器装置２００によれば、タンク側接続部５６を接続管部材２５２に対して上方から下方に押し込む操作が行われて、タンク側接続部５６から接続管部材２５２に過度な押し込み力Ｐが加わったとしても、この押し込み力Ｐを力分散部材２６４により分散させることができるため、接続管部材２５２が破損してしまうことを防ぐことができる。
【符号の説明】
【００５４】
１    本発明の第１実施形態による水洗大便器装置
２    便器本体
４    洗浄水タンク装置
６    ボウル部
８    リム部
１０    排水トラップ管路
１０ａ  排水トラップ管路の入口
１４    導水路
１４ａ  導水路の流入口
１６    吐水口
１８    給水管
２０    貯水タンク（タンク）
２０ａ  貯水タンクの内側前面（タンクの前壁部、タンクの前面）
２０ｂ  貯水タンクの底面（タンクの底面）
２０ｃ  貯水タンクの背面側且つ左右両側の基底部
２０ｄ  タンク固定用の長穴
２０ｅ  貯水タンクの外側前面
２２    定流量弁
２４    主弁（給水弁）
２６    給水弁装置（給水弁）
２８    真空破壊弁
３０    ジェットポンプユニット
３２    操作レバー
３４    給水管
３６    ジェットノズル
３８    流路切替弁
４０    スロート管
４０ａ  吸引口
４０ｂ  流出口
４２    便器洗浄用流路
４４    タンク貯水用流路
４６    駆動軸
４８    フロート
５０    スパッド（便器本体側接続部）
５２    接続管部材（便器本体側接続部）
５２ａ  便器本体側接続管路
５２ｂ  接続管部材の上端部
５２ｃ  接続管部材の屈曲部の下側面
５２ｄ  接続管部材の前端部
５４    ヒレパッキン（シール部材、パッキン部材）
５４ａ  下側ヒレ部（突起部）
５４ｂ  上側ヒレ部（突起部）
５６    タンク側接続部
５６ａ  タンク側接続管路（接続管路）
５８    貯水タンクの段部
５８ａ  貯水タンクの段部の接続口
５８ｂ  貯水タンクの段部の上端部
５８ｃ  貯水タンクの段部の外側壁部
５８ｄ  貯水タンクの段部の上側壁部
６０    スロート管側接続部
６２    便器本体の後方側の貯水タンクの設置スペースの底面
６２ａ  取付穴
６４    力分散部
６６    固定装置（固定部）
６８    ゴムブッシュ
７０    可撓性部材
７２    ボルト
７４    座金
７６    ばね座金
７８    ボルト操作部
８０    便器本体の後方側の貯水タンクの設置スペースの前側上縁部
８２    タンク蓋
１００    本発明の第２実施形態による水洗大便器装置
１６４    力分散部材
１６４ａ  力分散部材のベース部
２００    本発明の第３実施形態による水洗大便器装置
２５２    接続管部材
２５２ａ  接続管部材の上端部
２６４    力分散部
Ａ１    平面視で貯水タンクを左右方向に二等分する中心軸線
Ａ２    平面視で貯水タンクを前後方向に二等分する中心軸線
ＤＷＬ  最低水位（デッドウォータライン）
ｄ      差し込み距離
ｄ０    差し込み距離
ｄ１    差し込み距離
ｄ２    差し込み距離
ｄ３    差し込み距離    
Ｆ１    押し込み操作可能な操作領域面
Ｆ２    前側領域面
Ｌ１    貯水タンクの押し込み深さ確認ライン
Ｌ２    便器本体側の確認ライン
Ｐ      押し込み力
Ｐ１    押し込み力
Ｐ２    押し込み力
Ｒ      接触抵抗
Ｒ１    接触抵抗
Ｒ２    接触抵抗
Ｓ１    便器本体の後方側の貯水タンクの設置スペース
ＷＬ０  満水水位
【図１】
0006712404.tif 000002
【図２】
0006712404.tif 000003
【図３】
0006712404.tif 000004
【図４】
0006712404.tif 000005
【図５】
0006712404.tif 000006
【図６】
0006712404.tif 000007
【図７】
0006712404.tif 000008
【図８】
0006712404.tif 000009
【図９】
0006712404.tif 000010
【図１０】
0006712404.tif 000011
【図１１】
0006712404.tif 000012
【図１２】
0006712404.tif 000013
【図１３Ａ】
0006712404.tif 000014
【図１３Ｂ】
0006712404.tif 000015
【図１３Ｃ】
0006712404.tif 000016
【図１３Ｄ】
0006712404.tif 000017
【図１４Ａ】
0006712404.tif 000018
【図１４Ｂ】
0006712404.tif 000019
【図１４Ｃ】
0006712404.tif 000020
【図１５】
0006712404.tif 000021
【図１６】
0006712404.tif 000022
【図１７】
0006712404.tif 000023